(57)【要約】      （修正有）【課題】容易に短時間で締めることができるとともに、後でそれを短時間で外せることができる重量挙げ用ベルトの提供。【解決手段】サポートベルト１０は、デッドエンド領域１４およびライブエンド領域１６を有する細長いベルト１２と、サポートベルト１０の緩んだ締め付け状態において、デッドエンド領域１４およびライブエンド領域１６を解放可能に接続し、ライブエンド領域１６の自由端がデッドエンド領域１４の自由端に重なるサポートベルト１０の締め付け閉止状態において、デッドエンド領域１４およびライブエンド領域１６を固定するバックル１８とを含む。バックル１８は、ライブエンド領域１６に強固に固定された第１のアンカー部２４と、デッドエンド領域１４に設けられた開口２８に解放可能に係合するように構成された第２のアンカー部２６と、第１および第２のアンカー部２４、２６と回動可能に接続されるロック機構３０とを含む。【選択図】図１
2020195780.tif 000002
【特許請求の範囲】
【請求項１】
重量挙げ用のサポートベルトであって、該サポートベルトは：
デッドエンド領域およびライブエンド領域を有する細長いベルト；および
サポートベルトの緩んだ締め付け状態において前記デッドエンド領域およびライブエンド領域を着脱可能に接続し、ライブエンド領域の自由端とデッドエンド領域の自由端とが重なる、サポートベルトの少なくとも１つの締め付け閉止状態において前記デッドエンド領域とライブエンド領域とを固定するバックルを含み、
前記バックルは、前記ライブエンド領域に強固に固定された第１のアンカー部と、前記デッドエンド領域に設けられた開口に着脱可能に係合するように構成された第２のアンカー部と、前記第１および第２のアンカー部に回動可能に接続されたロック機構とを含み、該ロック機構は、サポートベルトの締め付け状態を前記の緩んだ締め付け状態から前記の少なくとも１つの締め付け閉止状態へ変化させるために、前記第１のアンカー部を前記第２のアンカー部の方へ引っ張るように動作可能であることを特徴とするサポートベルト。
【請求項２】
前記第１のアンカー部は前記細長いベルトの外面部に対して配置され、前記細長いベルトの内面部に対し前記第１のアンカー部に対向して配置された固定プレートをさらに含み、前記固定プレートは凹部を規定し、前記第２のアンカー部は、前記バックルの締付け工程の間に前記凹部内へ摺動するように構成されたガイド部材を含む、請求項１に記載のサポートベルト。
【請求項３】
前記ベルトの前記デッドエンド領域に設けられる前記開口は、前記デッドエンド領域に沿って間隔を置いた関係で配置され、前記ベルトの段階的にきつくなる締め付け閉止状態を複数規定するための、少なくとも１列の開口を形成するように配列される、請求項１または２に記載のサポートベルト。
【請求項４】
前記第２のアンカー部は、第２のアンカー部を前記開口に着脱可能に係合させる少なくとも１つのピンのセットを含み、前記ピンのセットは、第１の直径を有する位置決めピンと、前記ベルトの長手方向に前記位置決めピンから間隔を置いて配置され、前記第１の直径よりも小さい幅を有する本体部および該本体部から突出するヘッド部を有する係止ピンとを含み、該係止ピンは、前記本体部が前記開口内に受け入れられるときに、前記デッドエンド領域の内面部に対して係合するように構成される、請求項１、２または３に記載のサポートベルト。
【請求項５】
前記ロック機構は、即時に解除できるトグル機構を含む、請求項１−４のいずれか１つに記載のサポートベルト。
【請求項６】
前記ロック機構は、オーバーセンターロック機構を含む、請求項１−５のいずれか１つに記載のサポートベルト。
【請求項７】
前記ロック機構は、第１の端部および第２の端部を有し、前記第１の端部において回動可能に前記第２のアンカー部に接続され、前記緩んだ締め付け状態に対応する第１の位置および前記少なくとも１つの締め付け閉止状態に対応する第２の位置から移動可能であるレバーアームを含む、請求項１−６のいずれか１つに記載のサポートベルト。
【請求項８】
前記ロック機構はさらに、第１の端部および第２の端部を有し、前記第１の端部において前記第１のアンカー部に回動可能に接続され、前記第２の端部において前記レバーアームに回動可能に接続された連結アームを含む、請求項７に記載のサポートベルト。
【請求項９】
前記連結アームの前記第２の端部は、前記レバーアームの前記第１および第２の端部の
中間位置で前記レバーアームに接続される、請求項８に記載のサポートベルト。
【請求項１０】
前記連結アームの前記第２の端部は、前記レバーアームの前記第１の端部を受け入れるように構成された凹部を規定し、前記レバーアームが前記第２の位置にあるときに前記レバーアームは、前記レバーアームの前記第２の端部を前記連結アームの前記第２の端部から突出させることによって、前記連結アームの連続部を形成する、請求項８または９に記載のサポートベルト。
【請求項１１】
前記第１のアンカー部は、前記連結アームの前記第１の端部を受け入れるように構成された凹部を規定し、前記レバーアームが前記第２の位置にあるときに、前記連結アームの前記第２の端部を前記第１のアンカー部から突出させ、前記第２のアンカー部に重ねることによって、前記連結アームが前記第１のアンカー部の連続部を形成する、請求項８、９または１０に記載のサポートベルト。
【請求項１２】
前記第１のアンカー部は、前記第２のアンカー部の方へ引っ張られたときに、前記細長いベルトの実質的な周方向に移動する、請求項１−１１のいずれか１つに記載のサポートベルト。
【請求項１３】
重量挙げ選手のサポートベルト用のバックルであって、前記バックルは、サポートベルトのライブエンド領域に強固に固定される第１のアンカー部と、サポートベルトのデッドエンド領域の開口と着脱可能に係合する第２のアンカー部と、サポートベルトの締め付け状態を、緩んだ締付け位置から締め付け閉止位置へ変化させるために、前記第１のアンカー部を前記第２のアンカー部の方へ引っ張るように動作可能なロック機構とを含むことを特徴とするバックル。
【請求項１４】
前記ロック機構は、前記第２のアンカー部の方へ前記第１のアンカー部を引っ張るように構成され、その移動は、着用者の腰部に対し、実質的にその周方向である、請求項１３に記載のバックル。
【請求項１５】
前記第２のアンカー部は、使用時において、前記第１のアンカー部へ向かって伸びるガイド舌部を含む、請求項１３または１４に請求項のバックル。
【請求項１６】
前記ロック機構は、即時に解除できるトグル機構を含む、請求項１３、１４または１５に記載のバックル。
【請求項１７】
前記ロック機構は、オーバーセンターロック機構を含む、請求項１３−１６のいずれか１つ記載のバックル。
【請求項１８】
前記ロック機構は、第１の端部および第２の端部を有し、前記緩んだ締め付け状態に対応する第１の位置および前記少なくとも１つの締め付け閉止状態に対応する第２の位置から移動可能であるように、前記第１の端部において前記第２のアンカー部に回動可能に接続されたレバーアームを含む、請求項１３−１７のいずれか１つに記載のバックル。
【請求項１９】
前記ロック機構はさらに、第１の端部および第２の端部を有し、前記第１の端部において前記第１のアンカー部に回動可能に接続され、前記第２の端部において前記レバーアームに回動可能に接続される連結アームを含む、請求項１８に記載のバックル。
【請求項２０】
前記連結アームの前記第２の端部は、前記レバーアームの前記第１および第２の端部の中間位置において、前記レバーアームに接続される、請求項１９に記載のバックル。
【請求項２１】
前記連結アームの前記第２の端部は、前記レバーアームの前記第１の端部を受け入れるように構成された凹部を規定し、前記第２の位置において、前記レバーアームの前記第２の端部を前記連結アームの前記第２の端部から突出させることによって、前記レバーアームが前記連結アームの連続部を形成する、請求項１９または２０に記載のバックル。
【請求項２２】
前記第１のアンカー部は、前記連結アームの前記第１の端部を受け入れるように構成された凹部を規定し、前記レバーアームが前記第２の位置にあるときに、前記連結アームの前記第２の端部を前記第１のアンカー部から突出させて前記第２のアンカー部に重ならせることにより、前記連結アームが前記第１のアンカー部の連続部を形成する、請求項１９、２０または２１に記載のバックル。
【請求項２３】
前記第２のアンカー部は、前記第２のアンカー部を、サポートベルトの前記デッドエンド領域の前記開口に着脱可能に係合可能とする少なくとも１つのピンのセットを含み、前記ピンのセットは、第１の直径を有する位置決めピンと、前記ベルトの長手方向に前記位置決めピンから間隔を置いて配置され、前記第１の直径より小さい幅を有する本体部および前記本体部から突出するヘッド部を有する係止ピンとを含み、該係止ピンは、前記本体部が前記開口内に受け入れられるときに、前記デッドエンド領域の内面部に対し係合するように構成されている、請求項１３−２２のいずれか１つに記載のバックル。
【請求項２４】
重量挙げ用のサポートベルトであって、該サポートベルトは：第１の端部領域および第２の端部領域を有する細長いベルト；およびサポートベルトの緩んだ締め付け状態において、前記第１および第２の端部領域を着脱可能に接続し、サポートベルトの少なくとも１つの締め付け閉止状態において、前記第１および第２の端部領域を固定するバックルを含み、
前記バックルは、前記第１の端部領域に取り付けられた第１のアンカー部と、前記第２の端部領域に設けられる開口に着脱可能に係合するように構成された第２のアンカー部と、前記第１および第２のアンカー部に回動可能に接続されるロック機構とを含み、前記ロック機構は、連結アームおよび前記連結アームに回動可能に接続されるレバーアームを含み、前記緩んだ締め付け状態から前記少なくとも１つの締め付け閉止状態へ、サポートベルトの締め付け状態を変更するための、前記第１および第２のアンカー部間の間隔を減少させる引っ張り力を生成するように動作可能であることを特徴とするサポートベルト。
【請求項２５】
前記ロック機構は、前記引っ張り力によって、前記第２のアンカー部を前記第１のアンカー部の方へ引っ張るように構成される、請求項２４に記載のサポートベルト。
【請求項２６】
前記第１の端部領域はライブエンド領域であり、
前記第２の端部領域はデッドエンド領域であり、
前記サポートベルトが前記少なくとも１つの締め付け閉止状態にあるときに、前記ライブエンド領域の自由端が前記デッドエンド領域の自由端に重なる、請求項２４に記載のサポートベルト。
【請求項２７】
前記ロック機構は、前記引っ張り力が、前記細長いベルトの実質的に周回方向への、前記第１および第２のアンカー部の相対移動を引き起こすように構成される、請求項２４、２５または２６に記載のサポートベルト。
【請求項２８】
前記第１のアンカー部は、前記細長いベルトの外面部に対して配置され、前記細長いベルトの内面部に対し前記第１のアンカー部に対向して配置された固定プレートをさらに含み、
該固定プレートは凹部を規定し、前記第２のアンカー部は、前記バックルの締付け工程の間に前記凹部内へ摺動するように構成されたガイド部材を含む、請求項２４−２７のいずれか１つに記載のサポートベルト。
【請求項２９】
前記ベルトの前記第２の端部領域に設けられる前記開口は、前記ベルトの段階的にきつくなる複数の締め付け閉止状態を規定するための、前記第２の端部領域に沿って間隔を置いた関係で配置された少なくとも１列の開口を形成するように配列される、請求項２４−２８のいずれか１つに記載のサポートベルト。
【請求項３０】
前記第２のアンカー部は、第２のアンカー部を前記開口に着脱可能に係合させる少なくとも１つのピンのセットを含み、前記ピンのセットは、第１の直径を有する位置決めピンと、前記ベルトの長手方向に前記位置決めピンから間隔を置いて配置され、前記第１の直径より小さい幅を有する本体部および前記本体部から突出するヘッド部を有し、前記本体部が前記開口内に受け入れられるときに、前記第２の端部領域の内面部に対し係合するように構成された係止ピンとを含む、請求項２４−２９のいずれか１つに記載のサポートベルト。
【請求項３１】
前記レバーアームは、第１および第２の端部を有し、前記連結アームとの前記回動可能な接続は、前記レバーアームの前記第１および第２の端部の中間に位置する、請求項２４−３０のいずれか１つに記載のサポートベルト。
【請求項３２】
前記連結アームは、第１の端部および第２の端部を有し、前記連結アームの前記第２の端部は、前記バックルが前記少なくとも１つの締め付け閉止状態に有るときに、前記レバーアームの前記第１の端部を受け入れるように構成された凹部を規定し、前記レバーアームは、前記レバーアームの前記第２の端部を前記連結アームの前記第２の端部から突出させることによって、前記連結アームの連続部を形成する、請求項３１に記載のサポートベルト。
【請求項３３】
前記連結アームの前記第１の端部は、前記第１および第２のアンカー部のうちの１つに規定された凹部に受け入れられ、前記凹部および連結アームは、前記サポートベルトが前記少なくとも１つの締め付け閉止状態に有るときに、前記連結アームの前記第２の端部を前記第１および第２のアンカー部の前記一方から突出させ、前記第１および第２のアンカー部の他方に重ならせることによって。前記連結アームが前記第１および第２のアンカー部の一方の連続部を形成するように構成される、請求項３１または３２に記載のサポートベルト。
【請求項３４】
重量挙げ選手のサポートベルト用のバックルであって、該バックルは、サポートベルトの第１の端部領域に強固に固定される第１のアンカー部と、サポートベルトの第２の端部領域の開口と着脱可能に係合する第２のアンカー部と、前記第１および第２のアンカー部に回動可能に接続されるロック機構とを含み、前記ロック機構は、レバーアームと、該レバーアームに回動可能に接続される連結アームを含むとともに、サポートベルトの締め付け状態を、緩んだ締め付け状態から少なくとも１つの締め付け閉止状態に変更するための、前記第１および第２のアンカー部間の間隔を減少させる引っ張り力を生成するように動作可能である、ことを特徴とするバックル。
【請求項３５】
前記ロック機構は、前記引っ張り力が、着用者の腰部に対し実質的に周方向の、前記第１および第２のアンカー部の相対移動を引き起こすように構成される、請求項３４に記載のバックル。
【請求項３６】
前記第２のアンカー部は、使用時に、前記第１のアンカー部へ向って伸びるガイド舌部を含む、請求項３４または３５に記載のバックル。
【請求項３７】
前記ロック機構は、迅速に解除可能なトグル機構である、請求項３４、３５または３６に記載のバックル。
【請求項３８】
前記ロック機構はオーバーセンターロック機構である、請求項３４−３７のいずれか１つに記載のバックル。
【請求項３９】
前記第２のアンカー部は、第２のアンカー部を、サポートベルトの前記第２の端部領域に設けられる前記開口と着脱可能に係合可能とする少なくとも１つのピンのセットを含み、前記ピンのセットは、第１の直径を有する位置決めピンと、前記ベルトの長手方向に前記位置決めピンから間隔を置いて配置され、前記第１の直径より小さい幅を有する本体部および前記本体部から突出するヘッド部を有し、前記本体部が前記開口内に受け入れられるときに、前記第２の端部領域の内面部に対して係合するように構成された係止ピンとを含む、請求項３４−３８のいずれか１つに記載のバックル。
【請求項４０】
前記レバーアームは第１の端部および第２の端部を有し、前記緩んだ締め付け状態に対応する第１の位置および前記少なくとも１つの締め付け閉止状態に対応する第２の位置から回動可能であり、前記連結アームは第１の端部および第２の端部を有し、前記レバーアームに対する回動可能な接続は、連結アームの前記第２の端部であって、前記レバーアームの前記第１および第２の中間に位置する、請求項３４−３９のいずれか１つに記載のバックル。
【請求項４１】
前記連結アームの前記第２の端部は、前記レバーアームの前記第１の端部を受け入れるように構成された凹部を規定し、前記レバーアームが前記第２の位置にあるとき、前記レバーアームの前記第２の端部を前記連結アームの前記第２の端部から突出させることによって、前記レバーアームが前記連結アームの連続部を形成する、請求項４０に記載のバックル。
【請求項４２】
前記連結アームの前記第１の端部は、前記第１および第２のアンカー部の一方に設けられる凹部内に回動可能に接続され、前記凹部および連結アームは、前記レバーアームが前記第２の位置にあるときに、前記連結アームが、前記第１および第２のアンカー部の前記一方から前記連結アームの前記第２の端部を突出させるとともに、前記第１および第２のアンカー部の他方に重ならせることにより、前記第１および第２のアンカー部の前記一方の連続部を形成する、請求項４０または４１に記載のバックル。
【発明の詳細な説明】
【技術分野】
【０００１】
本発明は、大きな重量または荷重を持ち上げる人によって使用されるサポートベルトおよびサポートベルト用バックルに関する。
【背景技術】
【０００２】
ボディービルダーや重量挙げ選手は、バーベルを持ち上げるための様々なリフティング技術を使用する。これらリフティングは「ベンチプレス」、「スクワット」および「デッドリフト」を含み、体育館で訓練するボディービルダーや競技における重量挙げ選手によって使用され得る。いずれの場合も、重量挙げの選手の腹部は、特に非常に重い重量を持ち上げるとき、相当なストレス下に置かれる。重量挙げ選手の身体への損傷を回避するため、胸郭と腰帯との間で胴体を包囲するための、耐久性の大きい重量挙げ選手用ベルトを着用することが知られている。重量挙げに関連する他のスポーツや訓練においても、支えに対する同様の必要性が生じ得る。
【０００３】
必要な包囲状態を提供するため、重量挙げ選手用ベルトは硬質で且つ比較的広くする必
要があり、装着したときに、あらかじめ腹部を圧迫するために、重量挙げ選手の腹部の周りに強固に固定される。サポートベルトの締結力は腹部における内圧を生成し、それにより、重量物の持ち上げによって生じるストレスに晒されるときに、腹筋および背骨に対する損傷を防ぐのを補助する。重量挙げ選手用ベルトは、硬質性と締結力のため、これを装着するのは快適なものではない。このため、リフティングを行う前にベルトを容易に短時間で締めることができるとともに、後でそれを短時間で外せることが望まれる。同様に、医学的な緊急事態の際には、即座に重量挙げ用ベルトを外せることも望まれる。
【発明の概要】
【０００４】
本発明は請求項１に規定するようなサポートベルトを提供する。
本発明は請求項１３に規定するようなバックルも含む。
本発明は請求項２４に規定するようなサポートベルトも含む。
本発明は請求項３４に規定するようなバックルも含む。
【図面の簡単な説明】
【０００５】
以下の記載において、図面について説明する。
【０００６】
【図１】重量挙げの際に使用され得るサポートベルトの斜視図である。
【図２】開放状態であるサポートベルトのバックルの斜視図である。
【図３】閉止状態であるバックルの斜視図である。
【図４】サポートベルトのライブエンド領域の内面部を示す斜視図である。
【発明を実施するための形態】
【０００７】
図１は、ボディービルダーまたは重量挙げ選手のような重量物を持ち上げる人によって着用され得るサポートベルト（１０）の例を示す。サポートベルト（１０）は、デッドエンド領域（１４）、ライブエンド領域（１６）およびバックル（１８）を備える細長いベルト（１２）を含む。バックル（１８）は、サポートベルトの締結状態を緩めた状態でデッドエンド領域とライブエンド領域とを着脱可能に接続し、サポートベルトの少なくとも１つの締結した閉止状態において、ライブエンド領域の自由なまたは先導側（ｌｅａｄｉｎｇ）の端部（２０）がデッドエンド領域の自由なまたは定置側（ｔｒａｉｌｉｎｇ）の端部（２２）に重なるように、両者を固定するように動作可能である。バックル（１８）は、ライブエンド領域（１６）に強固に固定された第１のアンカー部（２４）と、デッドエンド領域（１４）に設けられた開口（２８）に取り外し可能に係合するように構成された第２のアンカー部（２６）と、第１および第２のアンカー部に回動可能に接続されるロック機構（３０）（図２）とを含み、ロック機構（３０）は、第２のアンカー部（２６）を第１のアンカー部（２４）へ向かって引っ張って、サポートベルトの締め付け状態を、緩んだ締め付け状態から締め付け閉止状態へ変更するように構成されている。
【０００８】
ベルト（１２）は、端部（２０）と端部（２２）の間で規定された長さを有する。ベルト長さは、サポートベルトがその締め付け閉止位置にあるときに、指定の１つまたは複数のウエストサイズの周囲に沿って伸び、デッドエンド領域（１４）およびライブエンド領域（１６）で一部が重なり合うことが可能なように選択される。ベルト（１２）は、内面部（３１）（図４）と、内面部（３１）の反対に配置された外面部（３２）とを有している。使用時において、内面部は着用者の身体に面し、その一方、外面部（３２）は着用者の身体の外方を向いている。ベルト（１２）は比較的頑丈な構造であり、皮革または適当な合成代替物で製作されてもよい。ベルト（１２）の例としては、厚さＴが０〜１３ｍｍの範囲であり、幅Ｗが５〜１００ｍｍの範囲である。ベルト（１２）は丈夫な構造にするため比較的硬くなり、このため、その自然な湾曲状態から輪郭を変化させるのが容易ではない。ベルト（１２）の自然な曲率半径は、その厚さによって制限され得る。これにより、サポートベルト（１０）は、着用する際、特にこれを締め付け閉止状態の際に、比較的
不快になる。
【０００９】
ベルト（１２）のデッドエンド領域（１４）には、複数の開口（２８）が設けられる。開口（２８）は、複数の締め付け閉止状態において、サポートベルト（１０）の締め付けを確実にするのを可能にするように配置される。図示された例において、本質的ではないが、開口（２８）は、ベルトの幅方向に並ぶ開口の対を規定するような関係で、間隔を置いて平行に２列に配置されている。
【００１０】
図１−３を参照すると、バックル（１８）の第１のアンカー部（２４）は本体（３６）を含む。本体（３６）は一般に、長方形の輪郭を有し、かつ、サポートベルト（１０）の長手方向または引っ張り方向において湾曲しているかまたはアーチ形である。一般に、長方形の凹部（３８）は本体（３６）内に形成される。凹部（３８）は、本体（３６）の外面部（４０）で開放され、その端部において、ベルト（１２）のライブエンド領域（１６）の自由な端部（２０）に最も接近するように配置される。凹部（３８）は、本体（３６）の一部である対向して配置された側壁部４２により、両面部上で区画されている。凹部（３８）は、ロック機構（３０）の一部を受け入れるように構成される。枢軸ピン（４４）を受け入れるため、貫通孔が側壁（４２）それぞれに設けられ、それによってロック機構（３０）が、第１のアンカー部（２４）に回動可能に接続される。
【００１１】
バックル（１８）の第２のアンカー部（２６）は一般に、長方形の本体（４６）を含む。枢軸受け部（４８）が、本体（４６）の外面部（５０）に配置される。必須でないが、図示された例において、枢軸受け部（４８）は一般に長方形の突出部である。枢軸受け部（４８）は、枢軸ピン（５２）を受け入れるための横断貫通孔（図示せず）を備え、それにより、オーバーセンターロック機構（３０）が、第２のアンカー部（２６）に回動可能に接続される。
【００１２】
第１のアンカー部（２４）は、確保手段（５４）（図４）によって、ベルト（１２）のライブエンド領域（１６）にしっかりと固定される。確保手段（５４）はリベット、ねじ、または類似のものでとし得る。必須でないが、保持板（５６）が、ベルト（１２）の内面部（３１）上に設けてもよい。保持板（５６）は、第１のアンカー部（２４）の反対側に配置されてもよく、確保手段（５４）の各ヘッドをそれぞれ受け入れるように構成された開口を有する。随意に、保持板（５６）は、概略的にはＵ字型であり、第２のアンカー部（２６）の本体（４６）の端部から伸びる舌部（６０）を受け入れるためのガイド凹部（５８）を規定する。舌部（６０）は、サポートベルト（１０）の長手方向に延び、サポートベルト（１０）の締め付け閉止状態において、機構３０がデッドエンド領域（１４）およびライブエンド領域（１６）を固定するように動作するときに、ガイド凹部５８内へ摺動するように構成される。
【００１３】
図１および４に示されるように、第２のアンカー部（２６）は、位置決めピン（６４）および係止ピン（６６）を各々含む２つのピンのセットが設けられる。位置決めピン（６４）は、ベルト（１２）の長手方向に、各係止ピン（６６）と並んで且つ一定間隔を置いて配置される。ピンのセットは、ベルト（１２）の幅方向に並んだ各位置決めピン（６４）とベルト（１２）の幅方向に並んだ各係止ピン（６６）とが対向し間隔を置いた関係で配置される。位置決めピン（６４）は、開口にぴったり適合するように、開口（２８）の直径に実質的に対応する直径を有する円柱体であり、係止ピン（６６）は、円柱状で開口（２８）の直径未満の直径を有する本体部分（７０）と、本体部分から突出し、デッドエンド領域（１４）の内面部（３１）に対し係合するように構成されたヘッド部（７２）とを含む。他の例において、縮小された直径を有する代わりに、各位置決めピン（６４）に向かって対面し長手方向に伸びる平面を提供することによって、本体部分（７０）のベルト（１２）の長手方向の断面幅寸法が、位置決めピン（６４）および開口（２８）の直径
と比較して減少されてもよい。
【００１４】
ロック機構（３０）は、第１および第２のアンカー部（２４）および（２６）に回動可能に接続され、第１および第２のアンカー部間の間隔を減少させるために、第２のアンカー部の方へ第１のアンカー部を引く、または引っ張るとともに、デッドエンド領域（１４）の方へライブエンド領域（１６）を引っ張る動作が可能なトグル機構であり得る。ロック機構（３０）はオーバーセンターロック機構であってもよい。図２および３で最良に示されるように、図示された例において、ロック機構（３０）は、レバーアーム（またはアクチュエーターアーム）（８０）および連結アーム（８２）を含む。レバーアーム（８０）と連結アーム（８２）は一般に、長方形の断面を有し、それぞれベルト（１２）の長手方向に湾曲しているか、またはアーチ形である。
【００１５】
レバーアーム（８０）は第１の端部（８４）および第２の端部（８６）を有する。レバーアーム（８０）の第１の端部（８４）は、サポートベルト（１０）の緩んだ締め付け状態に対応する第１の位置（図２）と、締められた閉止状態に対応する第２の位置（図３）との間で移動可能なように、枢軸受け部（４８）および枢軸ピン（５２）によって第２のアンカー部（２６）に回動可能に接続される。レバーアーム（８０）の第１の端部（８４）は、枢軸受け部（４８）を受け入れるように構成されたヨークを規定する凹部（８７）が設けられる。レバーアーム（８０）の第２の端部（８６）は、ロック機構（３０）を動作させるために把持され操作される。従って、レバーアーム（８０）の第２の端部（８６）は、把持を容易にするための輪郭または形態が与えられる。
【００１６】
連結アーム（８２）は、凹部（３８）の側壁（４２）に収容された枢軸ピン（４４）によって、第１のアンカー部（２４）に回動可能に接続された第１の端部（８８）を有する。連結アーム（８２）の第２の端部（９０）は、レバーアームの第１および第２の端部（８４、８６）の中間位置で、レバーアームを通過する枢軸ピン（９２）によって、レバーアーム（８０）に回動可能に接続される。連結アーム（８２）の第２の端部（９０）には、レバーアーム（８０）の第１の端部（８４）が受け入れられるヨークを規定する凹部（９４）が設けられる。
【００１７】
図３で最良に示されるように、レバーアーム（８０）および連結アーム（８２）は、ベルト（１２）の長手方向に、湾曲しているかまたはアーチ形である。湾曲は、第１および第２のアンカー部（２４、２６）の湾曲に少なくとも実質的に相当している。これによりバックル（１８）が、ベルト（１２）および重量挙げ選手の身体曲面に、一般に少なくともその部分が平坦である場合よりも良好に一致することを可能にする。さらにバックル（１８）が図３に示されるような締め付け閉止状態にあるときに、連結アーム（８２）の第１の端部（８８）は、第１のアンカー部（２４）中の凹部（３８）にぴったり受け入れられ、第２の端部（９０）は、本体（３６）からの続きを形成するように凹部から伸び、一方、レバーアーム（８０）の第１の端部（８４）が、連結アームの第２の端部（９０）に設けられた凹部（９４）にぴったりと受け入れられると共に、第２の端部（８６）が連結アームの連続部を形成するように連結アームから突出する。その結果、バックル（１８）の外面部が結合して、実質的に連続する表面を形成する。これにより、重量挙げ選手の身体や衣服に突き刺さったり引っかかったりする角部や端部の存在をより少なくできるという実際的な利点を有する、満足できる審美的な外観を提供する。
【００１８】
使用において、重量挙げ選手は、ベルト（１２）のデッドエンド領域（１４）から第２のアンカー部（２６）を分離することによって、サポートベルト（１０）を着用のために準備し、デッドエンド領域（１４）およびライブエンド領域（１６）を別々に移動させることによって、ベルトを腰周りに巻きつけることが可能になる。その後、図２に示される開放状態中のバックル（１８）で、第２のアンカー部（２６）を、デッドエンド領域（１
４）の方へ移動させ、選択された開口（２８）に、係止ピン（６４）および位置決めピン（６６）を挿入する。いくつかの場合において、係止ピン（６６）の挿入をより容易にするため、重量挙げ選手は、デッドエンド領域（１４）を、自分の身体から少し離して持ち上げることが必要かもしれない。一旦、係止ピン（６６）のヘッド部（７２）を、それぞれの本体部（７０）が開口内に受け入れられ、大径の頭部（７２）がベルト（１２）の内面部（３１）と係合するように、選択された開口（２８）を通過させたならば、デッドエンド領域（１４）を身体へ向かって後方へ移動させることができるとともに、デッドエンド領域および第２のアンカー部（２６）が身体に対し「平坦」になるので、位置決めピン（６４）は、それらが開口内に完全に受け入れられるように、それぞれ選択した開口内へ押し込められることになる。バックル（１８）が開放状態に有る段階においては、係止ピン（６６）のヘッド部（７２）がベルト（１２）の内面部（３１）に対し係合し、位置決めピン（６４）がその開口（２８）内に完全に受け入れられ、デッドエンド領域（１４）とライブエンド領域（１６）とは、着脱可能に接続された緩んだ締め付け状態となる。重量挙げ選手は、この状態において、ベルト（１２）がウエストの周りにわずかに緩く且つ着用が快適なように、位置決めピン（６４）および係止ピン（６６）が受け入れられる開口（２８）を選択し得る。
【００１９】
重量挙げ選手が荷重を持ち上げたいとき、レバーアームを枢軸ピン（５２）によって規定された枢軸の周りを時計回り方向（図２に示す）へ回転させるために、レバーアーム（８０）の第２の端部（８６）を把持して右側へ引っ張る（再度図２に示す）。レバーアーム（８０）が右へ移動するに従い、ベルト（１２）の第１のアンカー部（２４）およびライブエンド領域（１６）は、連結アーム（８２）により第２のアンカー部をレバーアームが接続されているために、第２のアンカー部（２６）およびデッドエンド領域（１４）の方へ引っ張られる。第１のアンカー部（２４）が第２のアンカー部（２６）に接近するに従い、凹部（５８）内へ嵌合する舌部６０は、デッドエンド領域およびライブエンド領域内でベルト（１２）が長手方向軸に沿って少なくとも実質的に整列し、ベルト端部がねじれないように、ライブエンド領域（１６）をデッドエンド領域（１４）の方へ向ってまっすぐに案内するのを補助する。
【００２０】
図３に示すように、一旦、レバーアーム（８０）が完全に閉じた位置まで移動したならば、ベルト（１２）のデッドエンド領域（１４）およびライブエンド領域（１６）は、締め付け閉止状態にあり、それにより、重量挙げ選手が重量挙げによって与えられるストレスにさらされるときに、腹筋および脊椎への損傷を防ぐのを支援し得るような腹部内での内圧を生成するために、重量挙げ選手の腹部は予め圧力がかけられる。サポートベルト（１０）によって予め与えられる圧力の大きさは、位置決めピン（６４）および係止ピン（６６）が受け入れられる開口（２８）の選択、および、枢軸ピン（５２、９２）それぞれの各軸間の距離によって規定される引っ張り長さに依存する。
【００２１】
「１サイズ」バージョンのサポートベルト（１０）においては、各ピン（６４、６６）を受け入れるちょうど４つの開口（２８）を有する。図示された例では、一連のサイズ調節工程を提供するため、デッドエンド領域（１４）の長さ方向に沿って伸びている一連の開口（２８）を有する。これは、サポートベルト（１０）は、直径または周面を減少させるために、バックル（１８）を解放し、ベルト（１２）のデッドエンド領域（１４）の自由端２２からより遠くの開口へ移動させることによって、一連の段階的にきつくなる締め付け閉止状態を通じて、迅速かつ容易に移動することができることを意味する。この利点は、重量挙げの準備をする際に、重量挙げ選手が、緩めた締め付け状態から重量挙げに使用される締め付け閉止状態へ、直接的に移行させる必要がないことである。代わりに重量挙げ選手は、サポートベルト（１０）を使用して、重量挙げ選手の腹部内での内圧の漸増を誘発するための一連の工程を通じて締め上げることができ、それにより、重量挙げ選手は、重量挙げを実行するのに必要な比較的高いレベルの圧力に到達する前に、比較的より低い内部圧力に慣れることができる。さらなる利点は、サポートベルト（１０）は、共有の影響を受けやすい「１つのサイズ」ではないということである。これは同時に、競技のための重量挙げ選手の体重制限を起因とする、ウエストサイズのどのような減少にも適合することを容易にする。
【００２２】
図示された例において、開口（２８）は、ベルト（１２）の長手方向に伸びる２つの列に配置され、この２つの列それぞれに係合するためのピンのセット（６４、６６）が存在する。他の例において、ピンのセット数に対応して、開口のただ１つの列があってもよく、あるいは３つ以上の列があってもよい。
【００２３】
連結アーム（８２）を装備することによって、バックル（１８）を構成することが可能になり、それによって、レバーアーム（８０）が、緩んだ締め付け状態から締め付け閉止状態へ、締め付け状態を変更するために操作されるときに、ベルトの第１のアンカー部（２４）およびライブエンド領域（１６）が、第２のアンカー部（２６）およびデッドエンド領域（１４）の方へ、ベルト（１２）または重量挙げ選手はウエストに対する本質的に周辺的な動きにおいて、滑らかに摺動することが理解されるであろう。比較的短距離の動きにより、それは多くの場合本質的に直線的な摺動となる。この利点は、このサポートベルト（１０）が、公知のサポートベルトに比べて、重量挙げ選手の身体または衣服を、締め付け動作の間に、挟むおそれが少ないことである。さらなる利点は、サポートベルトは、重量挙げ選手が耐え得る最大値まで締め付けて、その状態を確保できるということである。たとえば一般に長方形の、ベルトの一方の端部に適合する、１つ以上の回動可能なプロングを備えるフレームを有している公知のベルトでは、ベルトは、締め付け工程の間に、固定が完了した時の比較的低い締め付け状態に到達する前に、最大の締め付け状態を通過する。
【００２４】
バックル（１８）は、ベルト（１２）を固定して、重量挙げの間に負荷される荷重に対抗するのに十分な強度を有する任意の材質で製作される。一般にバックルは、できるだけ軽量に保つことが望ましく、したがって、アルミニウム合金のような適当な軽量金属が使用されうる。代替的に、他の例において、少なくともバックルの一部分は、エンジニアリング・プラスチック材料で製作されてもよい。適当な金属で製造される場合、バックルの部分は、ダイカストのような鋳造法によって製造されてもよい。
【００２５】
図示された例において、レバーアームは、ベルトのデッドエンド領域の開口に着脱可能に係合するアンカー部に備えられる枢軸の周りを回転し、ベルトのライブエンド領域に固定されたアンカー部を、ベルトのデッドエンド領域の方へ向って引っ張る。他の例において、レバーアームは、ベルトのデッドエンド領域に固定されたアンカー部上に設けられた枢軸の周りを回転して、ベルトのライブエンド領域の開口も着脱可能に係合するアンカー部を、デッドエンド領域の方へ引っ張る。
【００２６】
本明細書において、サポートベルトの部分が、デッドエンド領域およびライブエンド領域として指定された。締め付け操作の間、デッドエンド領域は、着用者の身体に対して動かない傾向がある一方、ライブエンド領域は、バックルの操作によってデッドエンド領域の方へ向って移動する。このことは、デッドエンド領域が、固定され移動できないものであるを意味するものでないことが理解されるであろう。これは単に少なくとも、第１のアンカー部が第２のアンカー部の方へ引っ張られるときに、デッドエンド領域に向かってまたは領域を超えて動くライブエンド領域によって、動きの大部分が作り出されることを意味している。
【図１】
2020195780.tif 000003
【図２】
2020195780.tif 000004
【図３】
2020195780.tif 000005
【図４】
2020195780.tif 000006
【手続補正書】
【提出日】令和2年8月22日(2020.8.22)
【手続補正１】
【補正対象書類名】特許請求の範囲
【補正対象項目名】全文
【補正方法】変更
【補正の内容】
【特許請求の範囲】
【請求項１】
重量挙げ用のサポートベルトであって、該サポートベルトは：
デッドエンド領域およびライブエンド領域を有する細長いベルト；および
前記サポートベルトの緩んだ締め付け状態において前記デッドエンド領域および前記ライブエンド領域を着脱可能に接続し、前記ライブエンド領域の自由端と前記デッドエンド領域の自由端とが重なる、前記サポートベルトの段階的にきつくなる複数の締め付け閉止状態において前記デッドエンド領域と前記ライブエンド領域とを固定するバックルを含み、
前記バックルは、前記ライブエンド領域に強固に固定された第１のアンカー部と、前記デッドエンド領域に設けられた開口に着脱可能に係合するように構成された第２のアンカー部と、前記第１および第２のアンカー部に回動可能に接続されたロック機構とを含み、該ロック機構は、前記サポートベルトの締め付け状態を前記の緩んだ締め付け状態から前記段階的にきつくなる複数の締め付け閉止状態へ変化させるために、前記第１のアンカー部を前記第２のアンカー部の方へ引っ張るように動作可能であり、
前記ベルトの前記デッドエンド領域に設けられた前記開口は、前記デッドエンド領域に沿って離間して配置された少なくとも１列の開口を形成するように配列されるものであり、それにより前記サポートベルトの前記段階的にきつくなる複数の締め付け閉止状態が規定され、着用者は前記第１のアンカー部を前記ベルトの前記ライブエンド領域から取り外すことなく、前記サポートベルトを段階的に締め付けることが可能となることを特徴とするサポートベルト。
【請求項２】
前記第１のアンカー部は前記細長いベルトの外面部に対して配置され、前記細長いベルトの内面部に対し前記第１のアンカー部に対向して配置された固定プレートをさらに含み、前記固定プレートは凹部を規定し、前記第２のアンカー部は、前記バックルの締付け工程の間に前記凹部内へ摺動するように構成されたガイド部材を含む、請求項１に記載のサポートベルト。
【請求項３】
前記第２のアンカー部は、第２のアンカー部を前記開口に着脱可能に係合させる少なくとも１つのピンのセットを含み、前記ピンのセットは、第１の直径を有する位置決めピンと、前記ベルトの長手方向に前記位置決めピンから間隔を置いて配置され、前記第１の直径よりも小さい幅を有する本体部および該本体部から突出するヘッド部を有する係止ピンとを含み、該係止ピンは、前記本体部が前記開口内に受け入れられるときに、前記デッドエンド領域の内面部に対して係合するように構成される、請求項１または２に記載のサポートベルト。
【請求項４】
前記ロック機構は、即時に解除できるトグル機構を含む、請求項１−３のいずれか１つに記載のサポートベルト。
【請求項５】
前記ロック機構は、オーバーセンターロック機構を含む、請求項１−４のいずれか１つに記載のサポートベルト。
【請求項６】
前記ロック機構は、第１の端部および第２の端部を有し、前記第１の端部において回動可能に前記第２のアンカー部に接続され、前記緩んだ締め付け状態に対応する第１の位置および前記少なくとも１つの締め付け閉止状態に対応する第２の位置から移動可能であるレバーアームを含む、請求項１−５のいずれか１つに記載のサポートベルト。
【請求項７】
前記ロック機構はさらに、第１の端部および第２の端部を有し、前記第１の端部において前記第１のアンカー部に回動可能に接続され、前記第２の端部において前記レバーアームに回動可能に接続された連結アームを含む、請求項６に記載のサポートベルト。
【請求項８】
前記連結アームの前記第２の端部は、前記レバーアームの前記第１および第２の端部の
中間位置で前記レバーアームに接続される、請求項７に記載のサポートベルト。
【請求項９】
前記連結アームの前記第２の端部は、前記レバーアームの前記第１の端部を受け入れるように構成された凹部を規定し、前記レバーアームが前記第２の位置にあるときに前記レバーアームは、前記レバーアームの前記第２の端部を前記連結アームの前記第２の端部から突出させることによって、前記連結アームの連続部を形成する、請求項７または８に記載のサポートベルト。
【請求項１０】
前記第１のアンカー部は、前記連結アームの前記第１の端部を受け入れるように構成された凹部を規定し、前記レバーアームが前記第２の位置にあるときに、前記連結アームの前記第２の端部を前記第１のアンカー部から突出させ、前記第２のアンカー部に重ねることによって、前記連結アームが前記第１のアンカー部の連続部を形成する、請求項７、８または９に記載のサポートベルト。
【請求項１１】
前記第１のアンカー部は、前記第２のアンカー部の方へ引っ張られたときに、前記細長いベルトの実質的な周方向に移動する、請求項１−１０のいずれか１つに記載のサポートベルト。
【外国語明細書】
2020195780000001.pdf
2020195780000002.pdf
2020195780000003.pdf
2020195780000004.pdf